(57)【要約】【課題】  レンズ鏡筒の外観をシンプル化し、操作のし易さ及び利便性の向上を図るとともに、クリック機構に対する切換構造の簡略化を図り、小型化及び低コスト化、更にはデザイン性の向上を図る。【解決手段】  固定筒部２の結像側となる後端２ｒの近傍に位置する外周面２ｅに絞りリング３を装填し、かつ固定筒部２に、弾性部５ｄにより弾性支持されることにより絞りリング３に圧接する係合体４を有する係合部５を配設するとともに、絞りリング３に、回動時に、絞り値に対応した位置で係合体４が係合する複数の被係合部６…を形成してなるクリック機構部Ｕｃと、固定筒部２の後端面２ｒｓに配設した操作部７を有する操作機構部Ｕｄと、絞りリング３に対する係合体４の圧接を所定の変位量Ｍｐに基づいて解除可能な解除機構部Ｕｒと、操作部７の操作に基づく変位量Ｍｐを解除機構部Ｕｒに伝達する伝達機構部Ｕｍとを備える。【選択図】  図１
2015169786.tif 000002
【特許請求の範囲】
【請求項１】
レンズ鏡筒の固定筒部に対して回動操作可能に装填することにより絞りを調整可能な絞りリング及びこの絞りリングを複数の絞り値に対応した位置でクリック係合可能なクリック機構部を有する交換レンズの絞り装置において、前記固定筒部の結像側となる後端の近傍に位置する外周面に配設した前記絞りリングと、前記固定筒部に、弾性部により弾性支持されることにより前記絞りリングに圧接する係合体を有する係合部を配設し、かつ前記絞りリングに、回動時に、前記絞り値に対応した位置で前記係合体が係合する複数の被係合部を形成してなるクリック機構部と、前記固定筒部の後端面に配設した操作部を有する操作機構部と、前記絞りリングに対する前記係合体の圧接を所定の変位量に基づいて解除可能な解除機構部と、前記操作部の操作に基づく前記変位量を前記解除機構部に伝達する伝達機構部とを備えてなることを特徴とする交換レンズの絞り装置。
【請求項２】
前記クリック機構部は、前記係合体となるクリックボールと、前記被係合部となるクリック溝との組合わせにより構成することを特徴とする請求項１記載の交換レンズの絞り装置。
【請求項３】
前記操作部は、前記変位量が０となるクリックポジション又は回動変位により前記変位量を前記解除機構部に伝達する非クリックポジションを選択可能に構成することを特徴とする請求項１又は２記載の交換レンズの絞り装置。
【請求項４】
前記操作部は、最後端部を、前記固定筒部の後端面よりも前方に位置させることを特徴とする請求項１，２又は３記載の交換レンズの絞り装置。
【請求項５】
前記操作機構部は、前記操作部を、前記クリックポジションと前記非クリックポジション間を座屈的に変位させる座屈機構部を備えることを特徴とする請求項１〜４のいずれかに記載の交換レンズの絞り装置。
【請求項６】
前記解除機構部は、シャッタプレート部を有し、前記非クリックポジションにおいて、当該シャッタプレート部を前記変位量に基づき前記係合体と前記被係合部間に挿入することを特徴とする請求項１〜５のいずれかに記載の交換レンズの絞り装置。
【請求項７】
前記解除機構部は、前記非クリックポジションにおいて、前記係合部を前記固定筒部の径方向内方へ変位させることを特徴とする請求項１〜５のいずれかに記載の交換レンズの絞り装置。
【請求項８】
前記解除機構部は、前記非クリックポジションにおいて、前記弾性部の少なくとも後端を前記被係合部から離間する方向へ変位させることを特徴とする請求項１〜５のいずれかに記載の交換レンズの絞り装置。
【請求項９】
前記伝達機構部は、前記操作部の回動操作に基づく回動変位を直進方向の変位に変換する運動変換機構を含むことを特徴とする請求項１〜８のいずれかに記載の交換レンズの絞り装置。
【発明の詳細な説明】
【技術分野】
【０００１】
本発明は、絞りリングを所定の絞り値に対応した位置でクリック係合可能なクリック機構を有する交換レンズの絞り装置に関する。
【背景技術】
【０００２】
従来、レンズ鏡筒の固定筒部に対して回動操作可能に装填することにより絞りを調整可能な絞りリング及びこの絞りリングを複数の絞り値に対応した位置でクリック係合可能なクリック機構を有するレンズの絞り装置は、特許文献１で開示される絞リング及び特許文献２で開示されるクリックストップ装置が知られている。
【０００３】
特許文献１に記載される絞リングは、当該絞リングの内周面に、当該内周面の周方向に複数のクリック係止溝を所定間隔おきに形成するとともに、当該内周面に対面する固定胴の外周面に、板ばねにより押圧されたクリックボールを配し、このクリックボールを絞リングの内周面に圧接させることにより、各係止位置での指定絞による撮影が行えるように構成したものである。また、特許文献２に記載されるクリックストップ装置は、絞プリセット環の内周面に、当該内周面の周方向に複数のクリック溝を所定間隔おきに形成するとともに、当該内周面に対面する固定環に板ばねにより押圧されたクリックボールを配し、このクリックボールを絞プリセット環の内周面に圧接させて構成したものである。
【０００４】
しかし、このような従来におけるレンズの絞り装置は、カメラの高性能化及び多機能化により、例えば、マニュアル操作可能な絞りリングを有する一眼レフタイプのデジタルカメラに、ビデオカメラ機能を内蔵させた場合、ビデオカメラ機能による撮影時に、絞りリングが機能し、クリック機構で発生するクリック時の振動やクリック音をマイクロホンが拾ってしまうなど、クリック機構を有する絞り装置が少なからず他の機能に悪影響を及ぼす虞れがあった。また、マニュアル操作可能な絞りリングのクリック機構は、絞り値の目安になるため、撮影時に所望の絞り値に速やかに設定できるメリットがある反面、絞りを連続して可変する場合やマニアックに操作するなど絞り値に捕らわれない撮影を行う場合等においては、スムースな操作性を確保する観点から必ずしも必要なものではない。したがって、操作性及び操作感を変えることなくクリック感のみを解消できれば、ユーザの利便性及び快適性をより高めることができるが、従来のレンズでは係る要請に応えることができない問題があった。
【０００５】
そこで、本出願人は、この問題を解決するためのレンズの絞り装置を既に特許文献３により提案した。この絞り装置は、ビデオカメラ機能における撮影品質（集音品質）を高めるなど、必要に応じてクリック機構部の悪影響を排除するとともに、クリックモード又は非クリックモードにおいて絞りリングの操作力が異なることによる操作ミス等の不具合を回避することを目的としたものであり、具体的には、レンズ鏡筒の固定筒部に対して回動操作可能に装填することにより絞りを調整可能な絞りリング及びこの絞りリングを複数の絞り値に対応した位置でクリック係合可能なクリック機構部を有する絞り装置であって、固定筒部又は絞りリングの、一方に、弾性支持された係合体を有する係合部を配設するとともに、他方に、係合体が圧接し、かつ絞りリングを回動させた際に、絞り値に対応した位置で係合体が係合可能な複数の被係合部を形成してなる被係合面を有する被係合基体部とを設けてなるクリック機構部と、係合部又は被係合基体部の少なくとも一方の位置を変更することにより、係合体と被係合面が圧接するクリックモード，又は係合体と被係合面が離間してクリック機能が解除される非クリックモードに切換可能なモード切換機構部とを設けたものである。
【先行技術文献】
【特許文献】
【０００６】
【特許文献１】特開昭５４−０７２０３９号公報
【特許文献２】特開昭６１−１７３２２７号公報
【特許文献３】特開２０１３−１３４４２５号公報
【発明の概要】
【発明が解決しようとする課題】
【０００７】
しかし、上述した特許文献３で開示されるレンズの絞り装置は、次のような解決すべき課題も残されていた。
【０００８】
第一に、クリックモードと非クリックモードを切換えるモード切換リングを、レンズ鏡筒の外周部に配するため、全体の構成が大掛かりになる。即ち、レンズ鏡筒の外周部には、絞りリングに加えて、フォーカスリングやズームリング等の他の操作リングが存在するため、更に切換用の操作リングを追加することは、レンズ鏡筒における外周部の構成を煩雑化し、結局、操作のし易さや利便性にも少なからず影響する。このように、同文献３の絞り装置におけるクリックモードと非クリックモードの切換構造は、構成の複雑化及び操作性の低下を招くとともに、加えて、大型化及び高コスト化も生じることになり、これらのデメリットを解消するためには更なる改善の余地があった。
【０００９】
第二に、モード切換リングを、レンズ鏡筒の外周部に配設するため、特に、レンズ（交換レンズ）の外観性を損なうデメリットも存在した。即ち、デザインコンセプトがシンプル化の場合、モード切換リングは、レンズ鏡筒の外周部に露出或いは突出するため、レンズ鏡筒の外観性（デザイン性）を高めるには無視できない存在となる。一方、クリックモードと非クリックモードのモード切換機能は、利便性の観点から必要度の高い機能でもある。結局、シンプル化によるデザイン性の向上とクリックモード又は非クリックモードの切換機能を搭載する双方のメリットを同時に確保する観点からも更なる改善の余地があった。
【００１０】
本発明は、このような背景技術に存在する課題を解決した交換レンズの絞り装置の提供を目的とするものである。
【課題を解決するための手段】
【００１１】
本発明に係る交換レンズＬの絞り装置１は、上述した課題を解決するため、レンズ鏡筒Ｃの固定筒部２に対して回動操作可能に装填することにより絞りを調整可能な絞りリング３及びこの絞りリング３を複数の絞り値に対応した位置でクリック係合可能なクリック機構部Ｕｃを有する絞り装置を構成するに際して、固定筒部２の結像側となる後端２ｒの近傍に位置する外周面２ｅに配設した絞りリング３と、固定筒部２に、弾性部５ｄにより弾性支持されることにより絞りリング３に圧接する係合体４を有する係合部５を配設し、かつ絞りリング３に、回動時に、絞り値に対応した位置で係合体４が係合する複数の被係合部６…を形成してなるクリック機構部Ｕｃと、固定筒部２の後端面２ｒｓに配設した操作部７を有する操作機構部Ｕｄと、絞りリング３に対する係合体４の圧接を所定の変位量Ｍｐに基づいて解除可能な解除機構部Ｕｒと、操作部７の操作に基づく変位量Ｍｐを解除機構部Ｕｒに伝達する伝達機構部Ｕｍとを備えてなることを特徴とする。
【００１２】
この場合、発明の好適な態様により、クリック機構部Ｕｃは、係合体４となるクリックボール４ｂと、被係合部６となるクリック溝６ｓとの組合わせにより構成できる。一方、操作部７は、変位量が０となるクリックポジションＸｃ又は回動変位により変位量Ｍｐを解除機構部Ｕｒに伝達する非クリックポジションＸｎを選択可能に構成できるとともに、操作部７は、最後端部７ｒを、固定筒部２の後端面２ｒｓよりも前方に位置させることができる。また、操作機構部Ｕｄには、操作部７を、クリックポジションＸｃと非クリックポジションＸｎ間を座屈的に変位させる座屈機構部Ｕｄｓを設けることができる。他方、解除機構部Ｕｒを構成するに際しては、シャッタプレート部１１を設け、非クリックポジションＸｎにおいて、当該シャッタプレート部１１を変位量Ｍｐに基づき係合体４と被係合部６間に挿入するようにしてもよいし、或いは非クリックポジションＸｎにおいて、係合部５を固定筒部２の径方向Ｆｄ内方へ変位させるようにしてもよいし、或いは非クリックポジションＸｎにおいて、弾性部５ｄの少なくとも後端５ｄｒを被係合部６から離間する方向Ｆｔへ変位させるようにしてもよい。さらに、伝達機構部Ｕｍには、操作部７の回動操作に基づく回動変位を直進方向の変位に変換する運動変換機構Ｕｍｃを含ませることができる。
【発明の効果】
【００１３】
このような構成を有する本発明に係る交換レンズＬの絞り装置１によれば、次のような顕著な効果を奏する。
【００１４】
（１）  基本的な構成要素である、クリック機構部Ｕｃに対するクリックポジションＸｃと非クリックポジションＸｎを切換えるための操作部７を、固定筒部２の後端面２ｒｓに配設したため、使用する交換レンズＬをカメラ本体に装着した際には、操作部７を外部に対して露出することなく完全に隠すことができる。したがって、従来のように、レンズ鏡筒Ｃの外周部に配する切換リング等の切換手段の存在を排除できる。この結果、レンズ鏡筒Ｃにおける外周部の構成をシンプル化し、クリックポジションＸｃと非クリックポジションＸｎの切換構造の簡略化、更には操作性の向上及び利便性（使い勝手）の向上を図れるとともに、加えて、絞り装置１の小型化及び低コスト化にも寄与できる。
【００１５】
（２）  操作部７を含むクリックポジションＸｃと非クリックポジションＸｎの切換手段を、全て交換レンズＬとカメラ本体間に隠すことができる。したがって、レンズ鏡筒Ｃの外周部をよりシンプル化し、デザイン性をより高める場合であっても、外観上、邪魔な存在になることはなく、デザイン設計における設計自由度の向上を図れるとともに、交換レンズＬの外観におけるシンプル性の向上及びデザイン性の向上を図ることができる。
【００１６】
（３）  クリックポジションＸｃと非クリックポジションＸｎの切換機能に基づく基本的な作用効果を失うことはない。したがって、例えば、ビデオカメラ機能による撮影時に、クリック時の振動やクリック音をマイクロホンが拾ってしまう不具合を解消できる。これにより、ビデオカメラ機能における撮影品質（集音品質）を高めることができるなど、必要に応じてクリック機構部Ｕｃの悪影響を排除できる。しかも、クリックポジションＸｃと非クリックポジションＸｎを任意に選択できるため、両ポジションＸｃ，Ｘｎのメリットを使い分けることができ、ユーザの利便性及び快適性を高めることができる。具体的には、クリックポジションＸｃを選択すれば、絞り値の目安にすることができるため、マニュアル操作時に所望の絞り値を速やかに設定できるとともに、非クリックポジションＸｎを選択すれば、絞りを連続して可変する場合或いは絞りリング３をマニアックに操作するなど絞り値に捕らわれない撮影を行う場合等にスムースな操作を確保できる。加えて、クリック感のみを解消し、いずれのポジションＸｃ，Ｘｎにおいても操作性及び操作感を大きく変えることはないため、操作力が異なることにより操作ミス等が発生する不具合を回避できる。
【００１７】
（４）  好適な態様により、クリック機構部Ｕｃを構成するに際し、係合体４となるクリックボール４ｂと、被係合部６となるクリック溝６ｓとの組合わせにより構成すれば、最も円滑に機能するクリック機構部Ｕｃとして構築できるため、本発明の目的を達成する観点から最適な絞り装置１を実現できる。
【００１８】
（５）  好適な態様により、操作部７を、変位量が０となるクリックポジションＸｃ又は回動変位により変位量Ｍｐを解除機構部Ｕｒに伝達する非クリックポジションＸｎを選択可能に構成すれば、操作部７を、クリックポジションＸｃと非クリックポジションＸｎの二位置へ選択的に切換えるのみで、容易かつ迅速に目的のポジションＸｃ又はＸｎに切換えることができる。
【００１９】
（６）  好適な態様により、操作部７の最後端部７ｒを、固定筒部２の後端面２ｒｓよりも前方に位置させれば、操作部７の一部が後端面２ｒｓから無用に突出してしまう不具合を回避でき、交換レンズＬの信頼性及び装着性をより高めることができる。
【００２０】
（７）  好適な態様により、操作機構部Ｕｄに、操作部７を、クリックポジションＸｃと非クリックポジションＸｎ間を座屈的に変位させる座屈機構部Ｕｄｓを設ければ、操作性及び操作感を高めることができる。加えて、クリックポジションＸｃ又は非クリックポジションＸｎへの確実な切換を行うことができるとともに、切換えたポジションＸｃ又はＸｎを確実に保持固定できる。
【００２１】
（８）  好適な態様により、解除機構部Ｕｒを構成するに際し、シャッタプレート部１１を設け、非クリックポジションＸｎにおいて、当該シャッタプレート部１１を変位量Ｍｐに基づき係合体４と被係合部６間に挿入するようにし、又は非クリックポジションＸｎにおいて、係合部５を固定筒部２の径方向Ｆｄ内方へ変位させるようにすれば、係合体４と被係合部６…間を物理的に遮断できるため、クリック機能を確実に解除できるとともに、交換レンズＬの揺れや向きなどに左右されることなく、信頼性及び安定性の高い解除機構部Ｕｒを構築できる。
【００２２】
（９）  好適な態様により、解除機構部Ｕｒを構成するに際し、非クリックポジションＸｎにおいて、弾性部５ｄの少なくとも後端５ｄｒを被係合部６から離間する方向Ｆｔへ変位させるようにすれば、少ない部品点数による実施が可能になるため、解除機構部Ｕｒの構成簡易化により、機構の小型化及び軽量化を図れるとともに、低コスト化及び実施の容易化にも寄与できる。
【００２３】
（１０）  好適な態様により、伝達機構部Ｕｍに、操作部７の回動操作に基づく回動変位を直進方向の変位に変換する運動変換機構Ｕｍｃを含ませれば、配設スペースが限られているような場合であっても、設計自由度を高めることができるため、各種交換レンズＬに対して柔軟に対応できる。
【図面の簡単な説明】
【００２４】
【図１】本発明の好適実施形態に係る絞り装置を内蔵した一部抽出拡大図を含む交換レンズの背面方向から見た要部の内部構造図、
【図２】同絞り装置を内蔵した交換レンズの外観側面図及び一部抽出拡大図を含む外観背面図、
【図３】同絞り装置の要部を示す平面方向から見た作用説明用内部構造図、
【図４】同絞り装置の要部を示す背面方向から見た作用説明用内部構造図、
【図５】同絞り装置の要部を示す背面方向から見た他の作用説明用内部構造図、
【図６】本発明の変更実施形態（第一変更実施形態）に係る絞り装置の要部を示す平面方向から見た内部構造図、
【図７】同第一変更実施形態に係る絞り装置の要部を示す背面方向から見た作用説明用内部構造図、
【図８】本発明の他の変更実施形態（第二変更実施形態）に係る絞り装置の要部を示す平面方向から見たクリックポジションに切換えた際の内部構造図、
【図９】同第二変更実施形態に係る絞り装置の要部を示す平面方向から見た非クリックポジションに切換えた際の内部構造図、
【図１０】本発明の他の変更実施形態（第三変更実施形態）に係る絞り装置の要部を示す平面方向から見たクリックポジションに切換えた際の内部構造図、
【図１１】同第三変更実施形態に係る絞り装置の要部を示す平面方向から見た非クリックポジションに切換えた際の内部構造図、
【図１２】本発明の他の変更実施形態（第四変更実施形態）に係る絞り装置の要部を示す外観背面図、
【図１３】同第四変更実施形態に係る絞り装置の要部を示す平面方向から見た内部構造図（図１２中Ｄ−Ｄ線断面図）、
【発明を実施するための形態】
【００２５】
次に、本発明に係る好適実施形態を挙げ、図面に基づき詳細に説明する。
【００２６】
まず、本実施形態に係る絞り装置１の理解を容易にするため、絞り装置１を備える交換レンズＬの概略構成について、図２を参照して説明する。
【００２７】
図２に示す交換レンズＬは、例えば、一眼レフカメラ等のデジタルカメラにおける交換レンズとして用いることができる。この場合、交換レンズＬを用いるデジタルカメラには、一眼レフ等のスチルカメラ機能に加えてビデオ撮影を行うことができるビデオカメラ機能を備えている。
【００２８】
交換レンズＬにおいて、Ｃはレンズ鏡筒を示す。このレンズ鏡筒Ｃは、固定筒部２を備え、この固定筒部２は、結像側となる後端２ｒに、レンズマウント部１１を有するとともに、被写体側となる前端２ｆには、アクセサリ装着部１２を有する。レンズマウント部１１は、固定筒部２の後端２ｒに位置する後端面２ｒｓの径よりも小さい径を有し、この後端面２ｒｓから後方へ所定幅だけ突出する。これにより、レンズマウント部１１は、仮想線で示すカメラ本体Ａのカメラマウント部Ａｍに対して着脱可能となる。なお、アクセサリ装着部１２にはフードやフィルタ類を着脱可能である。
【００２９】
また、例示の交換レンズＬは、固定筒部２の外周面における前寄り位置に装填したフォーカスリング１５を備えるとともに、固定筒部２の後端２ｒの近傍に位置する外周面２ｅに装填した絞りリング３を備える。フォーカスリング１５は、固定筒部２に対して回動操作することにより、固定筒部２の内部に配した複数のフォーカスレンズを光軸方向に変位させ、フォーカシング調整を行うことができる。一方、絞りリング３は、固定筒部２に対して回動操作することにより、固定筒部２の内部に配した絞り機構を変位させ、絞り調整を行うことができ、本実施形態に係る絞り装置１を構成する。
【００３０】
次に、本実施形態に係る絞り装置１の要部の構成について、図１〜図４（図７）を参照して具体的に説明する。
【００３１】
絞り装置１は、レンズ鏡筒Ｃの固定筒部２に対して回動操作可能に装填した上述の絞りリング３を備えるとともに、この絞りリング３を複数の絞り値に対応した位置でクリック係合可能なクリック機構部Ｕｃを備え、これらは絞り装置１における基本的な構成部分となる。
【００３２】
絞りリング３は、上述したように、固定筒部２の後端２ｒの近傍に位置する外周面２ｅに装填する。装填に際しては、固定筒部２の外周面２ｅに、周方向Ｆｅ全周に沿ったリング溝２１を設け、このリング溝２１に絞りリング３を回動自在に嵌め込むことにより装填する。これにより、図３（ａ）に示すように、絞りリング３の後面３ｒとリング溝２１を形成する後壁面２１ｒが対面接触する。この場合、リング溝２１は、固定筒部２の後端２ｒの近傍に設けるも、図３（ｂ）に示すように、このリング溝２１の後壁面２１ｒと固定筒部２の後端面２ｒｓ間は所定の間隔Ｌｈが確保されるように考慮し、この間隔Ｌｈ内に、図３（ａ）に示す、クリック機構部Ｕｃ、更には本実施形態に係る絞り装置１の要部を構成する操作機構部Ｕｄ，解除機構部Ｕｒ及び伝達機構部Ｕｍを配設する。特に、リング溝２１の後壁面２１ｒと固定筒部２の後端面２ｒｓ間における固定筒部２は、固定筒本体部２ｍとこの固定筒本体部２ｍの後面２ｍｒに重ねて当該後面２ｍｒを覆う後面カバー部２ｃにより構成する。
【００３３】
この場合、クリック機構部Ｕｃは、図３（ａ）に示すように、固定筒本体部２ｍに係合部５を配設するとともに、絞りリング３の後面３ｒに複数の被係合部６…を形成して構成する。
【００３４】
係合部５は、固定筒本体部２ｍの光軸方向Ｆｓに貫通形成した断面円形のボール収容孔２２を備え、このボール収容孔２２に、絞りリング３側から、係合体４を構成する移動自在のクリックボール４ｂと弾性部５ｄを構成する圧縮状態のコイルスプリング５ｄｓを収容して構成する。これにより、コイルスプリング５ｄｓの後端は後面カバー部２ｃにより規制されるとともに、クリックボール４ｂはコイルスプリング５ｄｓにより弾性支持されるため、絞りリング３の後面３ｒに圧接する。したがって、ボール収容孔２２に収容したクリックボール４ｂとコイルスプリング５ｄｓにより係合部５が構成される。他方、複数の被係合部６…は、絞りリング３の後面３ｒに、当該絞りリング３を回動させた際に、絞り値に対応した位置でクリックボール４ｂに係合する複数のクリック溝６ｓ…により形成する。クリック溝６ｓは、図３（ａ）に示すように、断面形状が矩形となり、かつクリックボール４ｂが係合する方向から見た形状は、径方向に一定の幅を有する形状となる（図７参照）。
【００３５】
クリック機構部Ｕｃを構成するに際し、係合体４となるクリックボール４ｂと、被係合部６となるクリック溝６ｓとの組合わせにより構成すれば、最も円滑に機能するクリック機構部Ｕｃとして構築できるため、本発明の目的を達成する観点から最適な絞り装置１を実現できる利点がある。
【００３６】
以上により、レンズ鏡筒Ｃの固定筒部２に対して回動操作可能に装填することにより絞りを調整可能な絞りリング３及びこの絞りリング３を複数の絞り値に対応した位置でクリック係合可能なクリック機構部Ｕｃを有する絞り装置１の基本構造が構成される。
【００３７】
一方、本実施形態に係る絞り装置１は、このような基本構造に対して、さらに、操作機構部Ｕｄ，解除機構部Ｕｒ及び伝達機構部Ｕｍにより構成したポジション（モード）切換手段を備えており、これにより、クリック機構部Ｕｃに本来のクリック機能を発揮させるクリックポジションＸｃ、又はこのクリック機能を解除する非クリックポジションＸｃに切換えることができる。この場合、固定筒本体部２ｍの後面２ｍｒであって、係合部５に近接する位置に、凹部を形成し、後面カバー部２ｃに覆われる所定形状の収容空間Ｓｉを設け、この収容空間Ｓｉを利用して、操作機構部Ｕｄ，解除機構部Ｕｒ及び伝達機構部Ｕｍを配設する。なお、収容空間Ｓｉは伝達機構部Ｕｍのガイド機能も兼ねている。
【００３８】
操作機構部Ｕｄは、固定筒部２の後端面２ｒｓに配設した操作部７を有する。この際、係合部５に対して固定筒部２の周方向Ｆｅにおける所定距離だけ離間した位置に、光軸方向Ｆｓに貫通する支持軸孔、即ち、固定筒本体部２ｍに貫通形成した軸受孔２３と後面カバー部２ｃに貫通形成した操作孔２４を設け、この軸受孔２３と操作孔２４により操作部７を回動自在に支持する。操作部７は、図３及び図４に示すように、軸方向中間に配した偏心カム部７ｃ，軸方向一端に配した支軸部７ｓ及び軸方向他端に配した操作頭部７ｈを一体形成し、支軸部７ｓを軸受孔２３に挿入し、操作頭部７ｈを操作孔２４に挿入する。これにより、偏心カム部７ｃは収容空間Ｓｉ内に配される。この場合、操作部７の最後端部７ｒとなる操作頭部７ｈの先端面は、固定筒部２の後端面２ｒｓとなる後面カバー部２ｃの外面よりも前方に位置させる。このように構成することにより、操作部７の一部が後端面２ｒｓから無用に突出してしまう不具合を回避でき、交換レンズＬの信頼性及び装着性をより高めることができる利点がある。なお、操作頭部７ｈの先端面には、マイナス溝を設け、例えば、マイナスドライバ等の操作治具により外部から回動操作できるようにする。図２に、交換レンズＬを背面方向から見た外観図を示す。
【００３９】
また、偏心カム部７ｃは、収容空間Ｓｉの一側、即ち、固定筒部２の径方向外側の側壁により回動変位が規制されるようにする。これにより、偏心カム部７ｃは固定筒部２の径方向内側への回動変位が許容され、回動範囲は略１８０〔゜〕となる。これにより、変位量が０となるクリックポジションＸｃと、回動変位により変位量Ｍｐを解除機構部Ｕｒに伝達する非クリックポジションＸｎとを設けることができる。なお、操作頭部７ｈの先端面には、図２に示すように、ドット状のマーキング２５を表示し、クリックポジションＸｃと非クリックポジションＸｎの各ポジションを目視により判別できるようにする。このように、操作部７を、クリックポジションＸｃ又は非クリックポジションＸｎを選択可能に構成すれば、当該操作部７を、クリックポジションＸｃと非クリックポジションＸｎの二位置へ選択的に切換えるのみで、容易かつ迅速に目的のポジションＸｃ又はＸｎに切換えることができる。
【００４０】
さらに、偏心カム部７ｃの周縁であって、固定筒部２の径方向内側に位置する周縁には、図４に示すように、バネ部材２７を圧接する。例示の場合、レバー状のバネ部材２７の一端を、収容空間Ｓｉ内の所定位置にネジ２８等を用いて固定するとともに、バネ部材２７の他端側に、自由端となる当接部２７ｓを形成し、この当接部２７ｓを偏心カム部７ｃの周縁に圧接させる。これにより、クリックポジションＸｃと非クリックポジションＸｎ間において、操作部７を座屈的に回動変位させる座屈機構部Ｕｄｓを構成できる。なお、バネ部材２７は、収容空間Ｓｉ内において、できるだけ長くなるように、一又は二以上の折曲部を設けて形成する。これにより、当接部２７ｓが変位した際の角度変化を小さくすることができる。このような座屈機構部Ｕｄｓを設ければ、操作性及び操作感を高めることができる。加えて、クリックポジションＸｃ又は非クリックポジションＸｎへの確実な切換を行うことができるとともに、切換えたポジションＸｃ又はＸｎを確実に保持固定できる。
【００４１】
解除機構部Ｕｒは、絞りリング３に対する係合体４の圧接を、所定の変位量Ｍｐに基づいて解除するものである。この場合、収容空間Ｓｉに、一枚の伝達プレート３１を配設し、解除機構部Ｕｒと伝達機構部Ｕｍの構成に兼用させる。この伝達プレート３１は全体が周方向Ｆｅに沿った円弧形状に形成する。そして、伝達プレート３１の中間部には周方向Ｆｅに沿った係合長孔３２を形成し、この係合長孔３２にガイドピン３３を挿通させることにより、伝達プレート３１の移動方向を、収容空間Ｓｉの形状と共にガイドする。なお、ガイドピン３３は固定筒本体部２ｍに螺着する。
【００４２】
また、伝達プレート３１における操作部７側には、偏心カム部７ｃの周縁に係合する係合凹部３４及び操作頭部７ｈが挿通する挿通孔３５を形成する。これにより、係合凹部３４に偏心カム部７ｃを係合させれば、偏心カム部７ｃの回動変位により伝達プレート３１を従動変位させることができる。即ち、操作頭部７ｈの回動操作に基づく回動変位を直進方向の変位に変換する運動変換機構Ｕｍｃが構成される。このように、伝達機構部Ｕｍに、運動変換機構Ｕｍｃを含ませれば、配設スペースが限られているような場合であっても、設計自由度を高めることができるため、各種交換レンズＬに対して柔軟に対応できる利点がある。
【００４３】
一方、伝達プレート３１における係合部５側は、シャッタプレート部１１として形成する。この場合、伝達プレート３１の中間位置を折曲して段差部１１ｓを形成し、この段差部１１ｓから係合部５側をシャッタプレート部１１として用いる。これにより、伝達プレート３１の段差部１１ｓを境として、係合部５側がシャッタプレート部１１を有する解除機構部Ｕｒとして構成される。このため、固定筒本体部２ｍには、当該段差部１１ｓが挿通し、かつ段差部１１ｓの変位を許容する開孔部３６を形成する。これにより、シャッタプレート部１１は、固定筒本体部２ｍの前面２ｍｆ側に位置するため、当該前面２ｍｆには、図３（ａ）に示すように、シャッタプレート部１１を収容し、かつ変位を許容する凹状の収容スペース３７を形成する。
【００４４】
さらに、伝達機構部Ｕｍは、操作部７の操作に基づく変位量Ｍｐを解除機構部Ｕｒに伝達する機能を有し、段差部１１ｓを境として、伝達プレート３１の操作部７側を、当該伝達機構部Ｕｍとして構成する。
【００４５】
このような構成により、シャッタプレート部１１を周方向Ｆｅへ変位量Ｍｐだけ反復的に変位させることができ、前進変位させた際には、変位量Ｍｐに基づいて係合体４と被係合部６…間に位置させることができる。したがって、クリック機構部Ｕｃのクリック機能を解除できる。他方、後退変位させた際には、係合体４と被係合部６…間から離間させることができるため、クリック機構部Ｕｃにおける本来のクリック機能を復帰させることができる。このように、解除機構部Ｕｒを構成するに際し、シャッタプレート部１１を用いれば、係合体４と被係合部６…間を物理的に遮断できるため、クリック機能を確実に解除できるとともに、交換レンズＬの揺れや向きなどに左右されることなく、信頼性及び安定性の高い解除機構部Ｕｒを構築できる利点がある。
【００４６】
次に、本実施形態に係る絞り装置１の使用方法及び機能について、図１〜図５を参照して説明する。
【００４７】
今、本実施形態に係る絞り装置１を備える交換レンズＬを、図２に示すようなビデオカメラ機能を内蔵した一眼レフタイプのデジタルカメラ（カメラ本体）Ａに装着して使用する場合を想定する。
【００４８】
まず、このデジタルカメラＡを通常のスチルカメラとしての写真撮影に用いる場合について説明する。この場合、使用者は、絞り値を撮影時の目安にするため、絞り装置１のクリック機構部Ｕｃを機能させるクリックポジションＸｃを選択できる。したがって、使用者は、交換レンズＬをデジタルカメラＡに装着する前に、交換レンズＬの背面、即ち、後端面２ｒｓに開口した操作孔２４から操作部７（操作頭部７ｈ）を見て、操作部７がクリックポジションＸｃにあるか非クリックポジションＸｎにあるかを確認する。この際、非クリックポジションＸｎにあれば、使用者は、マイナスドライバ等の操作治具を用いて、操作部７の操作頭部７ｈを、略１８０〔゜〕回動操作し、クリックポジションＸｃに切換える。
【００４９】
切換時には、操作頭部７ｈを、図５に示す矢印Ｆｒｃ方向に回動操作する。これにより、一体の偏心カム部７ｃも同方向に回動変位し、この偏心カム部７ｃの周縁に係合する伝達プレート３１は、ガイドピン３３等にガイドされて、直進方向へ移動する。即ち、操作頭部７ｈの回動変位は運動変換機構Ｕｍｃにより直進変位に変換され、操作部７側へ変位量Ｍｐだけ後退移動する。この結果、シャッタプレート部１１も係合部５から離間する方向へ変位し、クリックボール４ｓとクリック溝６ｓ…間の遮断が解除される。この際、偏心カム部７ｃにはバネ部材２７が圧接しているため、回動初期から略９０〔゜〕まで回動させる際は、バネ部材２７の弾性に抗して、いわば押しのけるように回動させることになり、略９０〔゜〕回動させた後は、バネ部材２７の弾性に押されるように、僅かな力で、或いは力を付与しなくても回動させることができる。即ち、座屈的に回動変位させることができる。
【００５０】
図３（ａ）及び図４に示す実線がクリックポジションＸｃの状態を示す。これにより、クリック溝６ｓ…に対してクリックボール４ｓが圧接し、クリック機構部Ｕｃの本来の機能を発揮する。即ち、絞りリング３を回動変位させた際に、絞り値の目盛毎にクリック係止し、使用者はクリック感を得ることができる。また、クリックポジションＸｃでは、図４に示すように、偏心カム部７ｃの周縁にバネ部材２７が圧接し、操作部５の位置はこのクリックポジションＸｃに確実に保持される。
【００５１】
次に、このデジタルカメラＡを動画撮影用のビデオカメラとして用いたり、或いはスチルカメラとして使用するも、絞りを連続変化させるマニアックな撮影を行う場合について説明する。この場合、使用者は、絞り装置１におけるクリック機構部Ｕｃの機能を解除（無効）する非クリックポジションＸｎを選択できる。したがって、使用者は、交換レンズＬをデジタルカメラＡから一旦取外し、交換レンズＬの後端面２ｒｓにおける操作孔２４に、マイナスドライバ等の操作治具を挿入し、操作部７の操作頭部７ｈを、反対方向へ略１８０〔゜〕回動操作し、非クリックポジションＸｎに切換える。そして、切換えたなら、再度、交換レンズＬをデジタルカメラＡに装着する。
【００５２】
切換時には、操作頭部７ｈを、図５に示す矢印Ｆｒｓ方向に回動操作する。これにより、一体の偏心カム部７ｃも同方向に回動変位し、この偏心カム部７ｃの周縁に係合する伝達プレート３１は、ガイドピン３３等にガイドされて、直進方向へ移動する。即ち、操作頭部７ｈの回動変位は運動変換機構Ｕｍｃにより直進変位に変換され、係合部５側へ変位量Ｍｐだけ前進移動するとともに、シャッタプレート部１１は、クリックボール４ｓとクリック溝６ｓ…間に差し込まれる。図３（ｂ）及び図５がこの状態を示している。これにより、クリックボール４ｓとクリック溝６ｓ…間が遮断され、クリック溝６ｓ…に対するクリックボール４ｓの圧接が解除されるため、クリック機構部Ｕｃの本来の機能が発揮されなくなる。即ち、絞りリング３を回動変位させた際にはクリック感が何ら発生することはなく、連続した絞り操作を行うことができる。この結果、例えば、ビデオカメラ機能による撮影時に、絞りリングが機能し、クリック機構で発生するクリック時の振動やクリック音をマイクロホンが拾ってしまう弊害を解消できる。なお、この切換時にも座屈的に回動変位させることができる。
【００５３】
よって、このような本実施形態に係る交換レンズＬの絞り装置１によれば、基本的な構成要素である、クリック機構部Ｕｃに対するクリックポジションＸｃと非クリックポジションＸｎを切換えるための操作部７を、固定筒部２の後端面２ｒｓに配設したため、使用する交換レンズＬをカメラ本体に装着した際には、操作部７を外部に対して露出することなく完全に隠すことができる。したがって、従来のように、レンズ鏡筒Ｃの外周部に配する切換リング等の切換手段の存在を排除できる。この結果、レンズ鏡筒Ｃにおける外周部の構成をシンプル化し、クリックポジションＸｃと非クリックポジションＸｎの切換構造の簡略化、更には操作性の向上及び利便性（使い勝手）の向上を図れるとともに、加えて、絞り装置１の小型化及び低コスト化にも寄与できる。また、操作部７を含むクリックポジションＸｃと非クリックポジションＸｎの切換手段を、全て交換レンズＬとカメラ本体間に隠すことができる。したがって、レンズ鏡筒Ｃの外周部をよりシンプル化し、デザイン性をより高める場合であっても、外観上、邪魔な存在になることはなく、デザイン設計における設計自由度の向上を図れるとともに、交換レンズＬの外観におけるシンプル性の向上及びデザイン性の向上を図ることができる。
【００５４】
一方、本実施形態に係る交換レンズＬの絞り装置１であっても、クリックポジションＸｃと非クリックポジションＸｎの切換機能に基づく基本的な作用効果を失うことはない。したがって、例えば、ビデオカメラ機能による撮影時に、クリック時の振動やクリック音をマイクロホンが拾ってしまう不具合を解消できる。これにより、ビデオカメラ機能における撮影品質（集音品質）を高めることができるなど、必要に応じてクリック機構部Ｕｃの悪影響を排除できる。しかも、クリックポジションＸｃと非クリックポジションＸｎを任意に選択できるため、両ポジションＸｃ，Ｘｎのメリットを使い分けることができ、ユーザの利便性及び快適性を高めることができる。具体的には、クリックポジションＸｃを選択すれば、絞り値の目安にすることができるため、マニュアル操作時に所望の絞り値を速やかに設定できるとともに、非クリックポジションＸｎを選択すれば、絞りを連続して可変する場合或いは絞りリング３をマニアックに操作するなど絞り値に捕らわれない撮影を行う場合等にスムースな操作を確保できる。加えて、クリック感のみを解消し、いずれのポジションＸｃ，Ｘｎにおいても操作性及び操作感を大きく変えることはないため、操作力が異なることにより操作ミス等が発生する不具合を回避できる。という基本的な効果を享受できる。
【００５５】
次に、本発明の変更実施形態に係る絞り装置１について、図６〜図１３を参照して説明する。
【００５６】
図６及び図７は、第一変更実施形態に係る絞り装置１の要部を示す。この絞り装置１は、係合部５を固定筒部２の径方向Ｆｄ内方へ変位させるものであり、図１〜図５に示した基本実施形態のようなシャッタプレート部１１は使用しない。即ち、係合部５を伝達プレート３１の先端（他端）に支持し、操作に基づく変位量Ｍｐにより、シャッタプレート部１１を変位させる代わりに係合部５自体を固定筒部２の径方向Ｆｄ内方へ変位させるようにしたものである。
【００５７】
このため、基本実施形態における運動変換機構Ｕｍｃは使用しない。図６に示すように、伝達プレート３１の中間位置を回動部４０により回動自在に支持するとともに、操作部７における偏心カム部７ｃの回動変位を伝達プレート３１の一端側に直接伝達し、伝達プレート３１を回動部４０を支点にして回動変位させるようにした。この場合、係合部５は、図６に示すように、独立した係合ユニット４１として構成する。即ち、係合ユニット４１は、ボール収容筒４２を備え、伝達プレート３１の他端の近傍に位置するプレート部３１ｓにより、ボール収容筒４２の一端側の外周面を支持する。そして、ボール収容筒４２の内部に、被係合部６側から、クリックボール４ｂ，コイルスプリング５ｄｓ，滑動ボール４３の順に収容し、クリックボール４ｂをクリック溝６ｓに圧接させるとともに、滑動ボール４３を後面カバー部２ｃの内面に当接させる。滑動ボール４３を設けることにより伝達プレート３１の変位を円滑に行うことができる。なお、符号４４は固定筒本体部２ｍに貫通形成し、係合ユニット４１の変位を許容する空間部を示し、４５は伝達プレート３１の一端側を偏心カム部７ｃの周縁に常時当接させるための付勢スプリングを示す。
【００５８】
これにより、偏心カム部７ｃを、図７に示す実線位置、即ち、クリックポジションＸｃに変位させれば、伝達プレート３１は時計方向へ回動変位し、クリックボール４ｂをクリック溝６ｓに圧接（係合）させることができる。他方、偏心カム部７ｃを、図７に示す仮想線位置、即ち、非クリックポジションＸｎに変位させれば、伝達プレート３１は反時計方向へ回動変位し、クリックボール４ｂを固定筒部２の径方向Ｆｄ内方へ変位してクリック溝６ｓから離間する。即ち、クリックボール４ｂとクリック溝６ｓの圧接（係合）を解除することができる。
【００５９】
このような第一変更実施形態によれば、基本実施形態と同様に、係合体４と被係合部６…間を物理的に遮断できるため、クリック機能を確実に解除できるとともに、交換レンズＬの揺れや向きなどに左右されることなく、信頼性及び安定性の高い解除機構部Ｕｒを構築できる利点がある。その他、図６及び図７において、図１〜図５と同一構成部分及び同一機能部分については、同一符号を付して、その構成を明確にするとともに、その詳細な説明は省略する。
【００６０】
図８及び図９は、第二変更実施形態に係る絞り装置１の要部を示す。第二変更実施形態は、弾性部５ｄの少なくとも後端５ｄｒを、被係合部６に対して離間するＦｔ方向へ変位させるようにしたものである。したがって、構造上は、図８に示すように、コイルスプリング５ｄｓの後端５ｄｒを操作部７により直接支持する。これにより、操作部７自体を前進させた位置がクリックポジションＸｃとなり、後退させた位置が非クリックポジションＸｎとなる。
【００６１】
したがって、具体的な構造としては、前述した操作部７における偏心カム部７ｃの代わりに、例えば、楕円形等の非円形形状部７ｒを設けるとともに、他方、固定筒本体部２ｍの後面２ｍｒに、非円形形状部７ｒの回動が許容される円形凹状のクリックポジション嵌合部５１を形成し、また、このクリックポジション嵌合部５１に対して、同軸上となり、かつこの後面２ｍｒに対向する後面カバー部２ｃの前面２ｃｆに非円形形状部７ｒが嵌合可能な非円形凹状の非クリックポジション嵌合部５２を形成する。
【００６２】
これにより、図８に示すように、操作部７を押込み、非円形形状部７ｒをクリックポジション嵌合部５１に収容するとともに、収容した状態で、操作部７を回動操作し、非円形形状部７ｒを、クリックポジション嵌合部５１に嵌合する位置以外の位置に、位置させれば、非円形形状部７ｒは、後面カバー部２ｃの前面２ｃｆに圧接した状態で係止し、クリックポジションＸｃに切換えることができる。他方、図８の状態から、操作部７を回動操作し、非円形形状部７ｒを、クリックポジション嵌合部５１に嵌合する位置に、位置させれば、非円形形状部７ｒは、図９に示すように、矢印Ｆｔ方向へ変位することにより、クリックポジション嵌合部５１に圧接した状態で入り込み、非クリックポジションＸｎに切換えることができる。非クリックポジションＸｎでは、コイルスプリング５ｄｓの後端５ｄｒが後方へ変位し、クリックボール４ｂに付加される弾性力が無くなり又は減少し、実質的なクリック機能は解除される。
【００６３】
このような第二変更実施形態によれば、少ない部品点数による実施が可能になるため、解除機構部Ｕｒの構成簡易化により、機構の小型化及び軽量化を図れるとともに、低コスト化及び実施の容易化にも寄与できる。なお、第二変更実施形態による構成では、操作機構部Ｕｄは、解除機構部Ｕｒ及び伝達機構部Ｕｍを兼ねている。その他、図８及び図９において、図１〜図５と同一構成部分及び同一機能部分については、同一符号を付して、その構成を明確にするとともに、その詳細な説明は省略する。
【００６４】
図１０及び図１１は、第三変更実施形態に係る絞り装置１の要部を示す。第三変更実施形態は、図８及び図９に示した第二変更実施形態に対して、クリックボール４ｂの代わりに、先端が球面形状のクリックロッド４ｍを使用するとともに、このクリックロッド４ｍの中間位置に形成した鍔状のストッパ部４ｍｓの前後に前スプリング５ｄｘと後スプリング５ｄｙを配したものである。この場合、前スプリング５ｄｘはクリック溝６ｓ側に配し、後スプリング５ｄｙは操作頭部７ｈ側に配するとともに、力量設定を、前スプリング５ｄｘ＜＜後スプリング５ｄｙの関係に設定する。また、後スプリング５ｄｙの後端は、操作部７の前端面に当接させる。操作部７は、操作頭部７ｈに加え、その前方にネジ部６１を有し、このネジ部６１を固定筒本体部２ｍに螺合させる。
【００６５】
これにより、図１０に示すように、操作部７を回動操作することにより、前進端位置まで移動させれば、クリックポジションＸｃに切換えることができる。他方、図１０の状態において、操作部７を反対方向へ回動操作することにより、後退端位置まで移動させれば、図１１に示す非クリックポジションＸｎに切換えることができる。第三変更実施形態も図８及び図９に示した第二変更実施形態と同様、非クリックポジションＸｎでは、前スプリング５ｄｘ及び後スプリング５ｄｙを含む弾性部５の後端５ｄｒ、即ち、後スプリング５ｄｙの後端が後方へ変位し、クリックボール４ｂに付加される弾性力が無くなり又は減少し、実質的なクリック機能は解除される。
【００６６】
このような第三変更実施形態も、少ない部品点数による実施が可能になるため、解除機構部Ｕｒの構成簡易化により、機構の小型化及び軽量化を図れるとともに、低コスト化及び実施の容易化にも寄与できる。加えて、クリックポジションＸｃと非クリックポジションＸｎの中間位置に設定することも可能となるため、クリック感の任意の強弱設定も行うことができる。なお、第三変更実施形態による構成においても、操作機構部Ｕｄは、解除機構部Ｕｒ及び伝達機構部Ｕｍを兼ねている。その他、図１０及び図１１において、図１〜図５及び図８及び図９と同一構成部分及び同一機能部分については、同一符号を付して、その構成を明確にするとともに、その詳細な説明は省略する。
【００６７】
図１２及び図１３は、第四変更実施形態に係る絞り装置１の要部を示す。第四変更実施形態は、図１〜図１１に示した基本実施形態及び各変更実施形態に対して、操作部７の形態を変更したものである。図１〜図１１に示した各実施形態は、いずれもドライバ等の操作治具を用いて操作を行うものであるが、図１２及び図１３は、折畳式の操作ツマミ７１を備える操作部７を使用し、操作するに際して別途は操作治具を不要としたものである。例示の場合、操作頭部７ｈの端面に、操作ツマミ７１の一端を回動軸７２を介して回動可能に取付けた。この際、操作ツマミ７１の他端は回動軸７２を支点に回動可能となり、使用しないときは、図１３に実線で示す位置まで傾倒して格納状態にできる。したがって、格納状態の操作ツマミ７１は、後面カバー部２ｃの面に対して略平行となり、格納状態の操作ツマミ７１を含む操作部７は後面カバー部２ｃの後端面２ｒｓから突出しないように、後面カバー部２ｃの後端面２ｒｓには、凹状のツマミ収容部７３を設ける。
【００６８】
他方、使用するときは、図１３に仮想線で示す操作ツマミ７１のように、後面カバー部２ｃの面に対して略直角となるように起立させることができる。７３ｓは、操作ツマミ７１を起立させる際に指先を入れるための指入部を示す。そして、起立させた操作ツマミ７１は、手で持つことにより、操作部７を回動操作できる。その他、操作部７を回動操作したときの作用（機能）は、図１〜図５又は図６及び図７に示した実施形態の場合と同じになる。なお、図１２及び図１３において、図１〜図５に示した部分と同一構成部分及び同一機能部分については、同一符号を付して、その構成を明確にするとともに、その詳細な説明は省略する。
【００６９】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。例えば、クリック機構部Ｕｃの係合部５を構成するに際して、クリックボール４ｂとコイルスプリング５ｄｓを組合わせた例を示したが、先端側を湾曲させた板バネを用いた係合部５など、他の同一機能を有する係合部５を排除するものではない。同様に、被係合部６…としてクリック溝６ｓ…を形成した場合を示したが、凸条に形成し、係合部５側に、当該凸条に係合する部材を弾性支持するなど、他の同一機能を発揮する被係合部６…を用いる場合を排除するものではない。さらに、座屈機構部Ｕｄｓは必ずしも必要となるものではなく必要により設けることができるとともに、他の機構（位置ロック機構等）により置換することもできる。
【産業上の利用可能性】
【００７０】
本発明に係る絞り装置１は、デジタルカメラやビデオカメラ等の各種光学機器、特に、スチルカメラ機能とビデオカメラ機能の双方を備えるカメラ機器類に装着する交換レンズに利用できる。
【符号の説明】
【００７１】
１：絞り装置，２：固定筒部，２ｒ：固定筒部の後端，２ｅ：固定筒部の外周面，２ｒｓ：固定筒部の後端面，３：絞りリング，４：係合体，４ｂ：クリックボール，５：係合部，５ｄ：弾性部，５ｄｒ：弾性部の後端，６…：被係合部，６ｓ…：クリック溝，７：操作部，７ｒ：操作部の最後端部，１１：シャッタプレート部，Ｕｃ：クリック機構部，Ｕｄ：操作機構部，Ｕｒ：解除機構部，Ｕｍ：伝達機構部，Ｕｄｓ：座屈機構部，Ｕｍｃ：運動変換機構，Ｌ：交換レンズ，Ｃ：レンズ鏡筒，Ｍｐ：変位量，Ｘｃ：クリックポジション，Ｘｎ：非クリックポジション，Ｆｄ：径方向
【図１】
2015169786.tif 000003
【図２】
2015169786.tif 000004
【図３】
2015169786.tif 000005
【図４】
2015169786.tif 000006
【図５】
2015169786.tif 000007
【図６】
2015169786.tif 000008
【図７】
2015169786.tif 000009
【図８】
2015169786.tif 000010
【図９】
2015169786.tif 000011
【図１０】
2015169786.tif 000012
【図１１】
2015169786.tif 000013
【図１２】
2015169786.tif 000014
【図１３】
2015169786.tif 000015
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
レンズ鏡筒の固定筒部に対して回動操作可能に装填することにより絞りを調整可能な絞りリング及びこの絞りリングを複数の絞り値に対応した位置でクリック係合可能なクリック機構部を有する交換レンズの絞り装置において、前記固定筒部の結像側となる後端の近傍に位置する外周面に配設した前記絞りリングと、前記固定筒部に、弾性部により弾性支持されることにより前記絞りリングに圧接する係合体を有する係合部を配設し、かつ前記絞りリングに、回動時に、前記絞り値に対応した位置で前記係合体が係合する複数の被係合部を形成してなるクリック機構部と、前記固定筒部の後端面に配設するとともに、最後端部を当該固定筒部の後端面よりも前方に位置させた操作部を有する操作機構部と、前記絞りリングに対する前記係合体の圧接を所定の変位量に基づいて解除可能な解除機構部と、前記操作部の操作に基づく前記変位量を前記解除機構部に伝達する伝達機構部とを備えてなることを特徴とする交換レンズの絞り装置。
【請求項２】
前記クリック機構部は、前記係合体となるクリックボールと、前記被係合部となるクリック溝との組合わせにより構成することを特徴とする請求項１記載の交換レンズの絞り装置。
【請求項３】
前記操作部は、前記変位量が０となるクリックポジション又は回動変位により前記変位量を前記解除機構部に伝達する非クリックポジションを選択可能に構成することを特徴とする請求項１又は２記載の交換レンズの絞り装置。
【請求項４】
前記操作機構部は、前記操作部を、前記クリックポジションと前記非クリックポジション間を座屈的に変位させる座屈機構部を備えることを特徴とする請求項３記載の交換レンズの絞り装置。
【請求項５】
前記解除機構部は、シャッタプレート部を有し、前記非クリックポジションにおいて、当該シャッタプレート部を前記変位量に基づき前記係合体と前記被係合部間に挿入する構成を有することを特徴とする請求項３又は４記載の交換レンズの絞り装置。
【請求項６】
前記解除機構部は、前記非クリックポジションにおいて、前記係合部を前記固定筒部の径方向内方へ変位させる構成を有することを特徴とする請求項３又は４記載の交換レンズの絞り装置。
【請求項７】
前記解除機構部は、前記非クリックポジションにおいて、前記弾性部の少なくとも後端を前記被係合部から離間する方向へ変位させる構成を有することを特徴とする請求項３又は４記載の交換レンズの絞り装置。
【請求項８】
前記伝達機構部は、前記操作部の回動操作に基づく回動変位を直進方向の変位に変換する運動変換機構を含むことを特徴とする請求項１〜７のいずれかに記載の交換レンズの絞り装置。
【手続補正２】
【補正対象書類名】明細書
【補正対象項目名】００１１
【補正方法】変更
【補正の内容】
【００１１】
本発明に係る交換レンズＬの絞り装置１は、上述した課題を解決するため、レンズ鏡筒Ｃの固定筒部２に対して回動操作可能に装填することにより絞りを調整可能な絞りリング３及びこの絞りリング３を複数の絞り値に対応した位置でクリック係合可能なクリック機構部Ｕｃを有する絞り装置を構成するに際して、固定筒部２の結像側となる後端２ｒの近傍に位置する外周面２ｅに配設した絞りリング３と、固定筒部２に、弾性部５ｄにより弾性支持されることにより絞りリング３に圧接する係合体４を有する係合部５を配設し、かつ絞りリング３に、回動時に、絞り値に対応した位置で係合体４が係合する複数の被係合部６…を形成してなるクリック機構部Ｕｃと、固定筒部２の後端面２ｒｓに配設するとともに、最後端部７ｒを当該固定筒部２の後端面２ｒｓよりも前方に位置させた操作部７を有する操作機構部Ｕｄと、絞りリング３に対する係合体４の圧接を所定の変位量Ｍｐに基づいて解除可能な解除機構部Ｕｒと、操作部７の操作に基づく変位量Ｍｐを解除機構部Ｕｒに伝達する伝達機構部Ｕｍとを備えてなることを特徴とする。
【手続補正３】
【補正対象書類名】明細書
【補正対象項目名】００１２
【補正方法】変更
【補正の内容】
【００１２】
この場合、発明の好適な態様により、クリック機構部Ｕｃは、係合体４となるクリックボール４ｂと、被係合部６となるクリック溝６ｓとの組合わせにより構成できる。一方、操作部７は、変位量が０となるクリックポジションＸｃ又は回動変位により変位量Ｍｐを解除機構部Ｕｒに伝達する非クリックポジションＸｎを選択可能に構成できる。また、操作機構部Ｕｄには、操作部７を、クリックポジションＸｃと非クリックポジションＸｎ間を座屈的に変位させる座屈機構部Ｕｄｓを設けることができる。他方、解除機構部Ｕｒを構成するに際しては、シャッタプレート部１１を設け、非クリックポジションＸｎにおいて、当該シャッタプレート部１１を変位量Ｍｐに基づき係合体４と被係合部６間に挿入するようにしてもよいし、或いは非クリックポジションＸｎにおいて、係合部５を固定筒部２の径方向Ｆｄ内方へ変位させるようにしてもよいし、或いは非クリックポジションＸｎにおいて、弾性部５ｄの少なくとも後端５ｄｒを被係合部６から離間する方向Ｆｔへ変位させるようにしてもよい。さらに、伝達機構部Ｕｍには、操作部７の回動操作に基づく回動変位を直進方向の変位に変換する運動変換機構Ｕｍｃを含ませることができる。
【手続補正４】
【補正対象書類名】明細書
【補正対象項目名】００１７
【補正方法】変更
【補正の内容】
【００１７】
（４）  操作部７の最後端部７ｒは、固定筒部２の後端面２ｒｓよりも前方に位置させたため、操作部７の一部が後端面２ｒｓから無用に突出してしまう不具合を回避でき、交換レンズＬの信頼性及び装着性をより高めることができる。
【手続補正５】
【補正対象書類名】明細書
【補正対象項目名】００１８
【補正方法】変更
【補正の内容】
【００１８】
（５）  好適な態様により、クリック機構部Ｕｃを構成するに際し、係合体４となるクリックボール４ｂと、被係合部６となるクリック溝６ｓとの組合わせにより構成すれば、最も円滑に機能するクリック機構部Ｕｃとして構築できるため、本発明の目的を達成する観点から最適な絞り装置１を実現できる。
【手続補正６】
【補正対象書類名】明細書
【補正対象項目名】００１９
【補正方法】変更
【補正の内容】
【００１９】
（６）  好適な態様により、操作部７を、変位量が０となるクリックポジションＸｃ又は回動変位により変位量Ｍｐを解除機構部Ｕｒに伝達する非クリックポジションＸｎを選択可能に構成すれば、操作部７を、クリックポジションＸｃと非クリックポジションＸｎの二位置へ選択的に切換えるのみで、容易かつ迅速に目的のポジションＸｃ又はＸｎに切換えることができる。